(57)【要約】【課題】階層的なセキュリティ処理を実現する１枚の非接触型ＩＣカードを提供すること。【解決手段】弾性を有して湾曲可能な長方形のカード基板と、カード基板の長辺方向の中間部分を避けて配置された、近距離無線通信を行う近距離無線通信機と、ビーコン信号を発信するビーコン発信機と、前記ビーコン発信機からのビーコン信号を放射するアンテナと、少なくとも前記ビーコン発信機に電力を供給する電池と、を備える。【選択図】  図１
2019139579.tif 000002
【特許請求の範囲】
【請求項１】
弾性を有して湾曲可能な長方形のカード基板と、
前記カード基板の長辺方向の中間部分を避けて配置された、近距離無線通信を行う近距離無線通信機と、ビーコン信号を発信するビーコン発信機と、前記ビーコン発信機からのビーコン信号を放射するアンテナと、少なくとも前記ビーコン発信機に電力を供給する電池と、
を備える非接触型ＩＣカード。
【請求項２】
さらに、前記ビーコン発信機と前記近距離無線通信機とが共通に使用する共通鍵または共通識別子を記憶する不揮発性記憶手段を備える請求項１に記載の非接触型ＩＣカード。
【請求項３】
前記共通鍵または前記共通識別子は前記非接触型ＩＣカードに固有のデータであって、前記非接触型ＩＣカードの製造過程で書換不能に記憶される請求項２に記載の非接触型ＩＣカード。
【請求項４】
前記共通鍵または前記共通識別子は前記非接触型ＩＣカードを発行する発行者に固有のデータであって、前記非接触型ＩＣカードの発行過程で書換不能に記憶される請求項２に記載の非接触型ＩＣカード。
【請求項５】
前記共通鍵または前記共通識別子は前記非接触型ＩＣカードを携帯するユーザに固有のデータであって、前記非接触型ＩＣカードの発行過程で書換不能に記憶される請求項２に記載の非接触型ＩＣカード。
【請求項６】
前記カード基板の長辺方向の中間部分を避けた一方に、前記ビーコン発信機と、前記アンテナと、前記近距離無線通信機と、が配置され、前記カード基板の長辺方向の中間部分を避けた他方に、前記電池が配置されている請求項１乃至５のいずれか１項に記載の非接触型ＩＣカード。
【請求項７】
前記非接触型ＩＣカードは、さらに、前記カード基板の長辺方向の中間部分を避けて配置された、電磁界や電波などを用いた識別情報の近距離通信を行うＲＦＩＤ(Radio Frequency Identifier)通信機を備える請求項１乃至６のいずれか１項に記載の非接触型ＩＣカード。
【請求項８】
前記電池が充電可能な電池であって、前記充電可能な電池を非接触で充電するための非接触充電手段をさらに備える請求項１乃至７のいずれか１項に記載の非接触型ＩＣカード。
【請求項９】
前記カード基板は、厚さが2.2mm、長辺が85.6mm、短辺が54.0mm、のポロカーボン樹脂製またはＡＢＳ樹脂製である請求項１乃至８のいずれか１項に記載の非接触型ＩＣカード。
【請求項１０】
厚さが2.2mm、長辺が85.6mm、短辺が54.0mm、のポロカーボン樹脂製またはＡＢＳ樹脂製であるカード基板となる表面および裏面を製造するステップと、
前記カード基板の前記長辺方向の中間部分を避けた一方に、ビーコン信号を発信するビーコン発信機と、前記ビーコン発信機からのビーコン信号を放射するアンテナと、近距離無線通信を行う近距離無線通信機と、を配置し、前記カード基板の前記長辺方向の中間部分を避けた他方に、少なくとも前記ビーコン発信機に電力を供給する電池を配置するステップと、
前記ビーコン発信機と、前記近距離無線通信機と、前記アンテナと、前記電池との配置を維持して、前記表面と前記裏面とを貼り合わせて非接触型ＩＣカードとするステップと、
前記非接触型ＩＣカードの不揮発性記憶手段に、前記ビーコン発信機と前記近距離無線通信機とが共通に使用する共通鍵または共通識別子を記憶するステップと、
を含む非接触型ＩＣカードの製造方法。
【請求項１１】
ビーコン信号の発信機能と、近距離無線通信機能とを有する１枚の非接触型ＩＣカードと、
前記非接触型ＩＣカードから発信されたビーコン信号の受信に基づいて、前記非接触型ＩＣカードの認証、または、前記非接触型ＩＣカードを携帯するユーザの認証を行う第１認証手段と、
前記非接触型ＩＣカードとの近距離無線通信によって、前記非接触型ＩＣカードの認証、または、前記非接触型ＩＣカードを携帯する前記ユーザの認証を行う第２認証手段と、
を備えるＩＣカード利用システム。
【請求項１２】
前記非接触型ＩＣカードは、前記ビーコン信号の発信機能と前記近距離無線通信機能が共通に使用する共通鍵または共通識別子を記憶する不揮発性記憶手段を有し、
前記第１認証手段および前記第２認証手段は、前記共通鍵または前記共通識別子を用いて、前記非接触型ＩＣカードの認証、または、前記非接触型ＩＣカードを携帯するユーザの認証を行う請求項１１に記載のＩＣカード利用システム。
【請求項１３】
前記第１認証手段による認証により入退場を許可する第１許可手段と、
前記第２認証手段による認証により入退場を許可する第２許可手段と、
前記第１認証手段および前記第２認証手段による認証により入退場を許可する第３許可手段と、
をさらに備える請求項１１または１２に記載のＩＣカード利用システム。
【請求項１４】
前記非接触型ＩＣカードのカード識別子、または、前記非接触型ＩＣカードを携帯するユーザのユーザ識別子に基づいて、前記第１許可手段、前記第２許可手段および前記第３許可手段による入退場の許可を制御する制御手段をさらに備える請求項１３に記載のＩＣカード利用システム。
【請求項１５】
前記非接触型ＩＣカードから発信されたビーコン信号の受信に基づいて、前記非接触型ＩＣカードを携帯するユーザの位置情報を取得する第１取得手段と、
前記非接触型ＩＣカードとの近距離無線通信によって、前記非接触型ＩＣカードを携帯する前記ユーザの位置情報を取得する第２取得手段と、
をさらに備える請求項１４に記載のＩＣカード利用システム。
【請求項１６】
前記制御手段は、前記第１取得手段が取得した前記ユーザの位置情報に対応して、前記第２認証手段による認証を行うよう制御する請求項１５に記載のＩＣカード利用システム。
【請求項１７】
前記第１取得手段が取得した前記ユーザの位置情報、および、前記第１取得手段が取得した前記ユーザの位置情報、の少なくともいずれかから前記ユーザの移動経路を生成する移動経路生成手段をさらに備え、
前記制御手段は、さらに前記ユーザの移動経路に基づいて、前記第１許可手段、前記第２許可手段および前記第３許可手段による入退場の許可を制御する請求項１５または１６に記載のＩＣカード利用システム。
【請求項１８】
さらに、前記第２認証手段により認証された場合、前記非接触型ＩＣカードとの近距離無線通信によって決済を行う決済手段をさらに備える請求項１１乃至１７のいずれか１項に記載のＩＣカード利用システム。
【請求項１９】
ビーコン信号の発信機能と、近距離無線通信機能とを有する１枚の非接触型ＩＣカードを利用するＩＣカード利用方法であって、
前記非接触型ＩＣカードが有するビーコン信号の発信機能を用いて、前記非接触型ＩＣカードから発信されたビーコン信号の受信に基づき、前記非接触型ＩＣカードの認証、または、前記非接触型ＩＣカードを携帯するユーザの認証を行う第１認証ステップと、
前記非接触型ＩＣカードが有する近距離無線通信機能を用いて、前記非接触型ＩＣカードの認証、または、前記非接触型ＩＣカードを携帯するユーザの認証を行う第２認証ステップと、
前記ユーザの移動にしたがって、前記１枚の非接触型ＩＣカードによる前記第１認証ステップと前記第２認証ステップとを、シーケンシャルにまたはパラレルに実行する実行ステップと、
を含むＩＣカード利用方法。
【発明の詳細な説明】
【技術分野】
【０００１】
本発明は、非接触型ＩＣカードの構成およびその利用技術に関する。
【背景技術】
【０００２】
上記技術分野において、特許文献１には、１チッブ内に、無線ＬＡＮ部と近距離通信を行うＮＦＣ部とが形成された無線通信装置を提供する技術が開示されている。また、特許文献２には、ビーコン波により接近を検知し、ＮＦＣによって認証が行われるスマートフォンを用いたシステムが開示されている。
【先行技術文献】
【特許文献】
【０００３】
【特許文献１】特開２００８−２８３５６８号公報
【特許文献２】特開２０１７−１２６１４０号公報
【発明の概要】
【発明が解決しようとする課題】
【０００４】
しかしながら、上記文献に記載の技術は、ＩＣチップやスマートフォンの構成を開示するのみであって、これら技術を、階層的なセキュリティ処理を実現する１枚の非接触型ＩＣカードの製造に適用することができなかった。
【０００５】
本発明の目的は、上述の課題を解決する技術を提供することにある。
【課題を解決するための手段】
【０００６】
上記目的を達成するため、本発明に係る非接触型ＩＣカードは、
弾性を有して湾曲可能な長方形のカード基板と、
前記カード基板の長辺方向の中間部分を避けて配置された、近距離無線通信を行う近距離無線通信機と、ビーコン信号を発信するビーコン発信機と、前記ビーコン発信機からのビーコン信号を放射するアンテナと、少なくとも前記ビーコン発信機に電力を供給する電池と、
を備える。
【０００７】
上記目的を達成するため、本発明に係る非接触型ＩＣカードの製造方法は、
厚さが2.2mm、長辺が85.6mm、短辺が54.0mm、のポロカーボン樹脂製またはＡＢＳ樹脂製であるカード基板となる表面および裏面を製造するステップと、
前記カード基板の前記長辺方向の中間部分を避けた一方に、ビーコン信号を発信するビーコン発信機と、前記ビーコン発信機からのビーコン信号を放射するアンテナと、近距離無線通信を行う近距離無線通信機と、を配置し、前記カード基板の前記長辺方向の中間部分を避けた他方に、少なくとも前記ビーコン発信機に電力を供給する電池を配置するステップと、
前記ビーコン発信機と、前記近距離無線通信機と、前記アンテナと、前記電池との配置を維持して、前記表面と前記裏面とを貼り合わせて非接触型ＩＣカードとするステップと、
前記非接触型ＩＣカードの不揮発性記憶手段に、前記ビーコン発信機と前記近距離無線通信機とが共通に使用する共通鍵または共通識別子を記憶するステップと、
を含む。
【０００８】
上記目的を達成するため、本発明に係るＩＣカード利用システムは、
ビーコン信号の発信機能と、近距離無線通信機能とを有する１枚の非接触型ＩＣカードと、
前記非接触型ＩＣカードから発信されたビーコン信号の受信に基づいて、前記非接触型ＩＣカードの認証、または、前記非接触型ＩＣカードを携帯するユーザの認証を行う第１認証手段と、
前記非接触型ＩＣカードとの近距離無線通信によって、前記非接触型ＩＣカードの認証、または、前記非接触型ＩＣカードを携帯する前記ユーザの認証を行う第２認証手段と、
を備える。
【０００９】
上記目的を達成するため、本発明に係るＩＣカード利用方法は、
ビーコン信号の発信機能と、近距離無線通信機能とを有する１枚の非接触型ＩＣカードを利用するＩＣカード利用方法であって、
前記非接触型ＩＣカードが有するビーコン信号の発信機能を用いて、前記非接触型ＩＣカードから発信されたビーコン信号の受信に基づき、前記非接触型ＩＣカードの認証、または、前記非接触型ＩＣカードを携帯するユーザの認証を行う第１認証ステップと、
前記非接触型ＩＣカードが有する近距離無線通信機能を用いて、前記非接触型ＩＣカードの認証、または、前記非接触型ＩＣカードを携帯するユーザの認証を行う第２認証ステップと、
前記ユーザの移動にしたがって、前記１枚の非接触型ＩＣカードによる前記第１認証ステップと前記第２認証ステップとを、シーケンシャルにまたはパラレルに実行する実行ステップと、
を含む。
【発明の効果】
【００１０】
本発明によれば、階層的なセキュリティ処理を実現する１枚の非接触型ＩＣカードを提供することができる。
【図面の簡単な説明】
【００１１】
【図１】本発明の第１実施形態に係る非接触型ＩＣカードの構成を示すブロック図である。
【図２Ａ】本発明の第２実施形態に係る非接触型ＩＣカードを使用するＩＣカード利用システムの概要を示す図である。
【図２Ｂ】本発明の第２実施形態に係る非接触型ＩＣカードを使用するＩＣカード利用システムの構成を示すブロック図である。
【図３Ａ】本発明の第２実施形態に係る非接触型ＩＣカードを使用するＩＣカード利用システムにおける動作手順を示すシーケンス図である。
【図３Ｂ】本発明の第２実施形態に係る非接触型ＩＣカードを使用するＩＣカード利用システムにおける動作手順を示すシーケンス図である。
【図４Ａ】本発明の第２実施形態に係る非接触型ＩＣカードの構成を示す図である。
【図４Ｂ】本発明の第２実施形態に係る非接触型ＩＣカードの具体的構成を示す図である。
【図４Ｃ】本発明の第２実施形態に係る非接触型ＩＣカードの製造方法を示すフローチャートである。
【図５Ａ】本発明の第２実施形態に係る非接触型ＩＣカードの機能構成を示すブロック図である。
【図５Ｂ】本発明の第２実施形態に係る非接触型ＩＣカードの他の機能構成を示すブロック図である。
【図５Ｃ】本発明の第２実施形態に係る非接触型ＩＣカードのハードウェア構成を示すブロック図である。
【図６】本発明の第２実施形態に係る非接触型ＩＣカードの処理手順を示すフローチャートである。
【図７】本発明の第２実施形態に係るＮＦＣ通信処理の手順を示すフローチャートである。
【図８Ａ】本発明の第２実施形態に係るクラウドサーバの機能構成を示すブロック図である。
【図８Ｂ】本発明の第２実施形態に係るクラウドサーバの処理手順を示すフローチャートである。
【図９Ａ】本発明の第２実施形態に係る位置管理サーバの機能構成を示すブロック図である。
【図９Ｂ】本発明の第２実施形態に係る通信情報データベースの構成を示すブロック図である。
【図９Ｃ】本発明の第２実施形態に係るユーザ位置データベースの構成を示すブロック図である。
【図９Ｄ】本発明の第２実施形態に係る位置管理サーバの処理手順を示すフローチャートである。
【図１０Ａ】本発明の第２実施形態に係る入退場管理サーバの機能構成を示すブロック図である。
【図１０Ｂ】本発明の第２実施形態に係るカード情報データベースの構成を示すブロック図である。
【図１０Ｃ】本発明の第２実施形態に係る入退場管理サーバの処理手順を示すフローチャートである。
【図１１Ａ】本発明の第２実施形態に係る決済サーバの機能構成を示すブロック図である。
【図１１Ｂ】本発明の第２実施形態に係る決済情報データベースの構成を示すブロック図である。
【図１１Ｃ】本発明の第２実施形態に係る決済サーバの処理手順を示すフローチャートである。
【図１２Ａ】本発明の第３実施形態に係る非接触型ＩＣカードの構成を示す図である。
【図１２Ｂ】本発明の第３実施形態に係る非接触型ＩＣカードの非接触型充電方式を示す図である。
【図１３】本発明の第３実施形態に係る非接触型ＩＣカードの機能構成を示すブロック図である。
【図１４】本発明の第３実施形態に係る非接触型ＩＣカードの処理手順を示すフローチャートである。
【図１５】本発明の第４実施形態に係る非接触型ＩＣカードを使用するＩＣカード利用システムの概要を示す図である。
【図１６Ａ】本発明の第４実施形態に係る非接触型ＩＣカードの構成を示す図である。
【図１６Ｂ】本発明の第４実施形態に係る非接触型ＩＣカードが有する通信機能を示す図である。
【図１７】本発明の第４実施形態に係る非接触型ＩＣカードの処理手順を示すフローチャートである。
【図１８Ａ】本発明の第５実施形態に係る非接触型ＩＣカードを使用するＩＣカード利用システムの概要を示す図である。
【図１８Ｂ】本発明の第５実施形態に係るカード情報データベースの構成を示すブロック図である。
【図１９Ａ】本発明の第６実施形態に係る非接触型ＩＣカードを使用するＩＣカード利用システムの概要を示す図である。
【図１９Ｂ】本発明の第６実施形態に係るカード情報データベースの構成を示すブロック図である。
【発明を実施するための形態】
【００１２】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。
【００１３】
［第１実施形態］
本発明の第１実施形態としての非接触型ＩＣカード１００について、図１を用いて説明する。非接触型ＩＣカード１００は、複数の異なる通信機能を搭載するＩＣカードである。
【００１４】
図１に示すように、非接触型ＩＣカード１００は、カード基板１１０と、近距離無線通信機１２１と、ビーコン発信機１３１と、アンテナ１３２と、電池１３３と、を含む。カード基板１１０は、弾性を有して湾曲可能な長方形である。近距離無線通信機１２１と、ビーコン発信機１３１と、アンテナ１３２と、電池１３３とは、カード基板１１０の長辺方向の中間部分１１１を避けて配置される。近距離無線通信機１２１は、近距離無線通信を行う。ビーコン発信機１３１は、ビーコン信号を発信する。アンテナ１３２は、ビーコン発信機１３１からのビーコン信号を放射する。電池１３３は、少なくともビーコン発信機１３１に電力を供給する。
【００１５】
本実施形態によれば、複数の異なる通信機能を搭載したので、階層的なセキュリティ処理を実現する１枚の非接触型ＩＣカードを提供することができる。
【００１６】
［第２実施形態］
次に、本発明の第２実施形態に係る非接触型ＩＣカードおよびその利用システムについて説明する。本実施形態に係る１枚の非接触型ＩＣカードは、当該非接触型ＩＣカードを携帯するユーザの位置情報の取得、ユーザ認証（カード認証）、および、決済などを含む取引のために利用される。なお、本実施形態に係る１枚の非接触型ＩＣカードは、ビーコン発信機と近距離無線通信機とが共通に使用する共通鍵または共通識別子を記憶する不揮発性記憶部を備える。共通鍵は、データや識別子の暗号化や復号に使用される。共通鍵や共通識別子は、非接触型ＩＣカードに固有のデータであって、非接触型ＩＣカードの製造過程で書換不可能に記憶される。また、共通鍵や共通識別子は、非接触型ＩＣカードを発行する発行者に固有のデータであって、非接触型ＩＣカードの発行過程で書換不能に記憶される。また、共通鍵や共通識別子は、非接触型ＩＣカードを携帯するユーザに固有のデータであって、非接触型ＩＣカードの発行過程で書換不能に記憶される。
【００１７】
《ＩＣカード利用システム》
図２Ａ乃至図３Ｂを参照して、本実施形態に係る非接触型ＩＣカードを使用するＩＣカード利用システムについて説明する。
【００１８】
（概要）
図２Ａは、本実施形態に係る非接触型ＩＣカード２１０を使用するＩＣカード利用システム２００の概要を示す図である。
【００１９】
図２ＡのＩＣカード利用システム２００には、１枚の非接触型ＩＣカード２１０を携帯するユーザ２１１が、会社における移動につれて非接触型ＩＣカード２１０に搭載された種々の機能を利用する状態が図示されている。
【００２０】
ユーザ２１１は、会社の敷地の入り口（守衛所）で、ビーコン受信機２４０により非接触型ＩＣカード２１０から発信されたビーコン信号を受信して、入退場管理サーバ２７０でビーコン信号、あるいはビーコン信号に対応付けたカード識別子（以下、カードＩＤ）やユーザ識別子（以下、ユーザＩＤ）を認証し、ユーザ２１１の会社の敷地への入場を許可する。次に、ユーザ２１１は、非接触型ＩＣカード２１０を会社ビル入り口の認証機としての近距離無線通信機２３０にタッチすることで、ユーザＩＤやカードＩＤによりユーザ２１１の認証が行われて、会社ビル内への立ち入りが許可される。その後、会社内では、会社内に設置されたビーコン受信機２４０により、非接触型ＩＣカード２１０から発信されたビーコン信号を受信して、位置管理サーバ２６０で収集することにより、ユーザ２１１の居場所あるいは移動経路を把握可能である。また、図２Ａには煩雑なため図示しないが、会社内の会議室などの入退室時の認証を、非接触型ＩＣカード２１０と認証機としての近距離無線通信機２３０とのデータ交換により行う。
【００２１】
会社ビル内の会社決済が可能な、例えば社員食堂においては、非接触型ＩＣカード２１０をＰＯＳ(Point of sale system)機２５０にタッチすることで、代金の決済ができる。代金の決済は、決済サーバ２８０により処理される。
【００２２】
クラウドサーバ２９０は、入退場管理サーバ２７０、位置管理サーバ２６０および決済サーバ２８０からデータを収集して、統計的解析を行い、より効率的な環境整備のための提案を行うことができる。
【００２３】
なお、図２Ａにおいては、それぞれ１つの、入退場管理サーバ２７０、位置管理サーバ２６０および決済サーバ２８０を示したが、その数は限定されない。また、図２Ａにおいては、会社外におけるユーザ２１１の位置情報収集については、煩雑になるため図示していないが、非接触型ＩＣカード２１０から発信されたビーコン信号は、街中に配置されたビーコン受信機でも受信可能であり、ユーザ２１１の追跡あるいは見守りなどが可能である。さらに、クラウドサーバ２９０における統計的解析により、ユーザ２１１の嗜好判定なども可能である。一方、ビーコン信号に含まれる識別子を会社固有とすることによって、会社内のみのユーザ２１１の追跡あるいは見守りを行い、会社外では行わないようにすることもできる。
【００２４】
（構成）
図２Ｂは、本実施形態に係る非接触型ＩＣカード２１０を使用するＩＣカード利用システム２００の構成を示すブロック図である。
【００２５】
ＩＣカード利用システム２００は、ネットワーク２０１にそれぞれが接続された、入退場制御機２３１〜２３ｍと、ビーコン受信機２４１〜２４ｎと、ＰＯＳ機２５１〜２５ｐと、位置管理サーバ２６０と、入退場管理サーバ２７０と、決済サーバ２８０と、クラウドサーバ２９０と、を備える。
【００２６】
入退場制御機２３１〜２３ｍと、ビーコン受信機２４１〜２４ｎと、ＰＯＳ機２５１〜２５ｐとはそれぞれ、１枚の非接触型ＩＣカード２１０との通信により種々の機能を果たす。位置管理サーバ２６０と、入退場管理サーバ２７０と、決済サーバ２８０とは、それぞれ、ビーコン受信機２４１〜２４ｎと、入退場制御機２３１〜２３ｍと、ＰＯＳ機２５１〜２５ｐとを制御すると共に、情報を収集する。クラウドサーバ２９０は、位置管理サーバ２６０と、入退場管理サーバ２７０と、決済サーバ２８０とから情報を収集して統計的解析をし、提案を行う。
【００２７】
なお、入退場管理サーバ２７０と入退場制御機２３１〜２３ｍとは、ネットワーク２０１内に仮想設定されたサブネットワーク２０２により接続されてもよい。また、位置管理サーバ２６０とビーコン受信機２４１〜２４ｎとは、ネットワーク２０１内に仮想設定されたサブネットワーク２０４により接続されてもよい。また、決済サーバ２８０とＰＯＳ機２５１〜２５ｐとは、ネットワーク２０１内に仮想設定されたサブネットワーク２０５により接続されてもよい。また、図２Ｂにおいては、それぞれ１つの、入退場管理サーバ２７０、位置管理サーバ２６０および決済サーバ２８０を示したが、その数は限定されない。全てをローカルのクラウドサーバにまとめてもよい。
【００２８】
（動作シーケンス）
図３Ａ、図３Ｂは、本実施形態に係る非接触型ＩＣカード２１０を使用するＩＣカード利用システム２００における動作手順を示すシーケンス図である。なお、図３Ａおよび図３Ｂにおいて、ビーコン受信機２４０や近距離無線通信機２３０から各サーバへの情報伝送などは、煩雑さを避けるため省略して、ビーコン受信機２４０や近距離無線通信機２３０が処理するかのように記載している。また、図３Ａおよび図３Ｂにおいて、矢印は、ユーザ２１１の移動を示している。また、図３Ａおよび図３Ｂにおいては、各通信機能がシーケンシャルに実行されるように図示されているが、複数の通信機能がパラレルに実行されてもよい。
【００２９】
図３Ａは、本実施形態に係る１枚の非接触型ＩＣカード２１０を使用して、ユーザ２１１が守衛所から敷地に入り、会社内の目的位置（部屋）に入場するまでの動作手順を示すシーケンス図である。
【００３０】
ユーザ２１１は、守衛所に立ち寄る。ステップＳ３０１において、守衛所に設置されたビーコン受信機２４０は、ユーザ２１１が携帯する非接触型ＩＣカード２１０からのビーコン信号を受信する。ステップＳ３０３において、受信されたビーコン信号に基づいて、入退場管理サーバ２７０において非接触型ＩＣカード２１０（ユーザ２１１）が認証される。そして、ステップＳ３０５において、非接触型ＩＣカード２１０（ユーザ２１１）が確認され、位置（守衛所）と時刻とが確認され、位置管理サーバ２６０に対し入社記録が行われる。
【００３１】
ユーザ２１１は、会社ビル入り口に到着する。ステップＳ３０７において、会社ビル入り口に設置された近距離無線通信機２３０とユーザ２１１が携帯する非接触型ＩＣカード２１０との近距離通信が確立される。そして、ステップＳ３０９において、入退場管理サーバ２７０において非接触型ＩＣカード２１０（ユーザ２１１）が認証され、位置（会社ビル入り口）と時刻とが確認され、位置管理サーバ２６０に対し入館記録が行われる。
【００３２】
ユーザ２１１は、会社ビル内を移動する。ステップＳ３１１において、ビル内に設置されたビーコン受信機２４０は、ユーザ２１１が携帯する非接触型ＩＣカード２１０からのビーコン信号を受信する。ステップＳ３１３において、受信されたビーコン信号に基づいて、入退場管理サーバ２７０において非接触型ＩＣカード２１０（ユーザ２１１）が認証される。そして、ステップＳ３１５において、非接触型ＩＣカード２１０（ユーザ２１１）が確認され、位置（ビル内）と時刻とが確認され、位置管理サーバ２６０に対し移動経路記録が行われる。
【００３３】
ユーザ２１１は、目的の部屋の入り口に到着する。ステップＳ３１７において、部屋の入り口に設置された近距離無線通信機２３０とユーザ２１１が携帯する非接触型ＩＣカード２１０との近距離通信が確立される。そして、ステップＳ３１９において、入退場管理サーバ２７０において非接触型ＩＣカード２１０（ユーザ２１１）が認証され、位置（部屋の入り口）と時刻とが確認され、位置管理サーバ２６０に対し入室記録が行われる。
【００３４】
上記ステップＳ３１７およびＳ３１９は、近距離無線通信機２３０によるユーザ認証であったが、さらにセキュリティを高めたユーザ認証が可能である。すなわち、ステップＳ３２１において、部屋の入り口の近傍に設置されたビーコン受信機２４０が、ユーザ２１１が携帯する非接触型ＩＣカード２１０からビーコン信号を受信している間に、部屋の入り口に設置された近距離無線通信機２３０と同じ非接触型ＩＣカード２１０との近距離通信が確立される。そして、ステップＳ３１９において、ビーコン信号を受信している間に、入退場管理サーバ２７０において非接触型ＩＣカード２１０（ユーザ２１１）が認証され、位置（部屋の入り口）と時刻とが確認され、位置管理サーバ２６０に対し入室記録が行われる。
【００３５】
以上のように、ビーコン信号のみの認証（低認証レベル）、近距離無線通信のみ認証（中認証レベル）、ビーコン信号および近距離無線通信両方の認証（高認証レベル）、と複数段階の認証レベル（セキュリティ・レベル）を設定することが可能である。例えば、役員室や会議室、金庫室、顧客情報などの機密情報がある倉庫やコンピュータルーム、は高認証レベルとする。さらに、携帯するユーザをランク付けしたカードレベルなども組み合わせて、より細かいセキュリティ管理が可能である。例えば、技術者のみが入退場可能な場所、あるいは、使用者のみが入退場可能なロッカー室など、セキュリティ管理をきめ細かくできるようになる。なおさらに、ユーザ２１１の移動経路を認証の条件に加えることもできる。例えば、ユーザ２１１が不審な移動経路を取った場合には、入退場を許可しないなどが考えられる。
【００３６】
図３Ｂは、本実施形態に係る１枚の非接触型ＩＣカード２１０を使用して、ユーザ２１１が会社内の目的位置（部屋）から退場し、守衛所から退出するまでの動作手順を示すシーケンス図である。
【００３７】
ユーザ２１１は、部屋から退場する。ステップＳ３２５において、部屋の入り口に設置された近距離無線通信機２３０とユーザ２１１が携帯する非接触型ＩＣカード２１０との近距離通信が確立される。そして、ステップＳ３１９において、入退場管理サーバ２７０において非接触型ＩＣカード２１０（ユーザ２１１）が認証され、位置（部屋の入り口）と時刻とが確認され、位置管理サーバ２６０に対し退室記録が行われる。
【００３８】
なお、ステップＳ３１１〜Ｓ３１５は、図３Ａに示したビル内の各所に設置されたビーコン受信機２４０による、ユーザ２１１が携帯する非接触型ＩＣカード２１０からのビーコン信号に基づく、ユーザ２１１の移動経路追跡である。したがって、ステップＳ３１１〜Ｓ３１５は、図３Ｂの回数に限定されない。ユーザ２１１がビーコン受信機２４０にビーコン信号が届く位置に来た場合には、全て受信して位置および時刻が記録される。
【００３９】
ここで、ユーザ２１１が、社内食堂で食事をしたと仮定する。ユーザ２１１は、ステップＳ３３１において、社員食堂に設置された近距離無線通信機２３０とユーザ２１１が携帯する非接触型ＩＣカード２１０との近距離通信が確立される。そして、ステップＳ３３３において、決済サーバ２８０において非接触型ＩＣカード２１０（ユーザ２１１）が認証され、位置（社内食堂）と時刻とが確認され、決済サーバ２８０に対し決済の記録が行われる。
【００４０】
ユーザ２１１は、会社ビル入り口から退館する。ステップＳ３４１において、会社ビル入り口に設置された近距離無線通信機２３０とユーザ２１１が携帯する非接触型ＩＣカード２１０との近距離通信が確立される。そして、ステップＳ３４３において、入退場管理サーバ２７０において非接触型ＩＣカード２１０（ユーザ２１１）が認証され、位置（会社ビル入り口）と時刻とが確認され、位置管理サーバ２６０に対し退館記録が行われる。
【００４１】
ユーザ２１１は、守衛所に立ち寄る。ステップＳ３４５において、守衛所に設置されたビーコン受信機２４０は、ユーザ２１１が携帯する非接触型ＩＣカード２１０からのビーコン信号を受信する。ステップＳ３４７において、受信されたビーコン信号に基づいて、入退場管理サーバ２７０において非接触型ＩＣカード２１０（ユーザ２１１）が認証される。そして、ステップＳ３４９において、非接触型ＩＣカード２１０（ユーザ２１１）が確認され、位置（守衛所）と時刻とが確認され、位置管理サーバ２６０に対し退社記録が行われる。
【００４２】
《非接触型ＩＣカードの構成》
図４Ａは、本実施形態に係る非接触型ＩＣカード２１０の構成を示す図である。図４Ａは、ビーコン発信機能と近距離無線通信とが別途の構成要素で実現された場合の構成である。
【００４３】
長方形の非接触型ＩＣカード２１０の長辺方向の中間部分４１１を除いて、非接触型ＩＣカード２１０に搭載される各構成要素は配置される。図４Ａにおいては、左方（一方）に、近距離無線通信機（以下、ＮＦＣ機とも称す）４２１と、ビーコン発信機４３１と、ビーコン発信機４３１からのビーコン信号を放射するアンテナ４３２と、本非接触型ＩＣカード２１０で使用される共通鍵または共通識別子を記憶する共通鍵／共通識別子記憶部４５１（以下、共通鍵／共通ＩＤ記憶部４５１）と、を備える。長辺方向の中間部分４１１を挟んだ右方（他方）に、ビーコン発信機４３１に電力を供給する電池４４１と、を備える。なお、共通鍵または共通識別子は、セキュリティを高めるためのキー生成などに使用される。
【００４４】
ここで、長辺方向の中間部分４１１付近を除く理由は、非接触型ＩＣカード２１０の弾性による撓みにより、各構成要素に負荷がかかることによる誤動作や故障、破壊を防ぐためである。なお、非接触型ＩＣカード２１０の配置は、図４Ａの配置に限定されない。例えば、ビーコン発信機能と近距離無線通信とが１つのＩＣチップとして一体に実現されてもよい。また今後、各部位の小型化、特に電池の小型化が進めば、図４Ａとは異なる配置が可能となる。
【００４５】
（具体的構成）
図４Ｂは、本実施形態に係る非接触型ＩＣカード２１０の具体的構成を示す図である。なお、図４Ｂにおいて、図４Ａと同様の構成要素には同じ参照番号を付して、重複する説明を省略する。
【００４６】
非接触型ＩＣカード２１０のカード基板４１０は、厚さが2.2mm、長辺が85.6mm、短辺が54.0mm、のポロカーボン樹脂製またはＡＢＳ樹脂製であるのが望ましい。なお、共通鍵／共通ＩＤ記憶部４５１は、図４Ａにように、ビーコン発信機４３１や近距離無線通信機４２１と別に設けても、いずれかの内部に設けても、両方の内部にそれぞれ設けてもよい。また、図４Ｂの寸法は、これに限定されるものではないが、特に厚さが2.2mmで製造できたことは特筆すべき特徴である。なお、図４Ｂの寸法の非接触型ＩＣカード２１０において、中間部分４１１の幅は２mm以下が望ましく、1.5mm±0.5mmの範囲である。
【００４７】
（非接触型ＩＣカードの製造方法）
図４Ｃは、本実施形態に係る非接触型ＩＣカード２１０の製造方法を示すフローチャートである。
【００４８】
ステップＳ４０１において、カード基板となる表面と裏面との製造を行う。なお、本実施形態のカード基板は、厚さが2.2mm、長辺が85.6mm、短辺が54.0mmのポロカーボン樹脂またはＡＢＳ樹脂製である。しかしながら、かかる寸法や材質に限定されるものではない。ユーザが携帯可能な寸法や重量であって、カード破壊に耐える弾性を有するものが望ましい。
【００４９】
ステップＳ４０３において、カード基板上に例えば図４Ａや図４Ｂのように、長辺方向の中間部分４１１を除いて各構成要素を配置して固定する。ステップＳ４０５において、各構成要素の配置を維持して、カード成形を行う。
【００５０】
カード成形後、ステップＳ４０７において、共通鍵または共通ＩＤを共通鍵／共通ＩＤ記憶部４５１に不揮発的に書き込む。なお、共通鍵／共通ＩＤ記憶部４５１は、不揮発性メモリであっても、ヒューズなどのハードウェアであってもよい。なお、ヒューズなどのハードウェアの場合、共通鍵／共通ＩＤ記憶部４５１を長辺方向の中間部分４１１に配置することもできる。ここで、共通ＩＤとしては、非接触型ＩＣカードのカードＩＤ、非接触型ＩＣカードを発行する発行者の発行者ＩＤ、および、非接触型ＩＣカードを携帯するユーザのユーザＩＤの少なくともいずれかを含む。また、共通鍵は、各種ＩＤなどの暗号化鍵および復号鍵を含む。なお、共通鍵または共通ＩＤの書き込みは、カード発行過程で行われてもよい。
【００５１】
最後に、ステップＳ４０９において、非接触型ＩＣカード２１０としての、通信処理機能をテストする。なお、耐久テストなどをしてもよい。
【００５２】
《非接触型ＩＣカードの機能構成》
図５Ａは、本実施形態に係る非接触型ＩＣカード２１０の機能構成を示すブロック図である。図５Ａは、図４Ａのように、近距離通信機能とビーコン発信機能とを分離した場合の機能構成図である。
【００５３】
非接触型ＩＣカード２１０は、近距離無線通信機４２１として、ＮＦＣ処理部５２１と、通信データ受信部５２２と、通信データ送信部５２３と、認証ＩＤ記憶部５２４と、不揮発性の共通鍵／共通ＩＤ記憶部５２５と、新ＩＤ生成部５２６と、を備える。また、非接触型ＩＣカード２１０は、ビーコン発信機４３１として、ビーコン発信部５３１と、ビーコン信号生成部５３２と、ビーコンＩＤ記憶部５３３と、不揮発性の共通鍵／共通ＩＤ記憶部５３４と、新ＩＤ生成部５３５と、を備える。そして、非接触型ＩＣカード２１０は、ビーコン発信機４３１に電源を供給する電池４４１を備える。
【００５４】
ＮＦＣ処理部５２１は、電磁誘導用コイルを含むＮＦＣリーダ／ＮＦＣライタとの非接触通信を実行する。通信データ受信部５２２は、ＮＦＣ処理部５２１を介して、ＮＦＣリーダ／ＮＦＣライタからの通信データを受信する。通信データ送信部５２３は、ＮＦＣ処理部５２１を介して、ＮＦＣリーダ／ＮＦＣライタへ通信データを送信する。なお、ＮＦＣ処理については、ＮＦＣポータルサイトを参照されたい（https://www.nfc-world.com/about/03.html）。
【００５５】
認証ＩＤ記憶部５２４は、通信データのセキュリティを保持するための、カードＩＤやユーザＩＤなどの認証ＩＤを記憶する。不揮発性の共通鍵／共通ＩＤ記憶部５２５は、本非接触型ＩＣカード２１０の複数の通信機能で共有する共通鍵または共有ＩＤを不揮発に記憶する。新ＩＤ生成部５２６は、認証ＩＤ記憶部５２４の認証ＩＤと共通鍵／共通ＩＤ記憶部５２５の共通鍵または共通ＩＤとに基づいて、さらにセキュリティを高めた新ＩＤを生成する。
【００５６】
ビーコン発信部５３１は、アンテナ４３２を含み生成されたビーコン信号を発信する。ビーコン信号生成部５３２は、ビーコンＩＤ記憶部５３３からのビーコンＩＤや共通鍵／共通ＩＤ記憶部５３４からの共通ＩＤに基づいて、ビーコン信号を生成する。ビーコンＩＤ記憶部５３３は、カードやカードを携帯するユーザを特定するためのビーコンＩＤを記憶する。なお、ビーコン信号については、例えば、Bluetooth（登録商標） Low Energy(BLE)を使用しており、その仕様は、(https://www.bluetooth.com/)を参照されたい。
【００５７】
不揮発性の共通鍵／共通ＩＤ記憶部５３４は、本非接触型ＩＣカード２１０の複数の通信機能で共有する、共通鍵／共通ＩＤ記憶部５２５と同じ共通鍵または共有ＩＤを不揮発に記憶する。新ＩＤ生成部５３５は、ビーコンＩＤ記憶部５３３のビーコンＩＤと共通鍵／共通ＩＤ記憶部５３４の共通ＩＤとに基づいて、さらにセキュリティを高めた新ＩＤを生成する。
【００５８】
図５Ｂは、本実施形態に係る非接触型ＩＣカード２１０の他の機能構成を示すブロック図である。図５Ｂは、近距離通信機能とビーコン発信機能の一部を共有する場合、あるいは、共有部分を外部に設けた機能構成図である。図５Ｂにおいては、共通鍵／共通ＩＤ記憶部４５１と新ＩＤ生成部５５３とを近距離通信機能およびビーコン発信機能で共有する構成としたが、これに限定されない。なお、図５Ｂにおいて、図５Ａと同様の構成要素には同じ参照番号を付して、重複する説明は省略する。
【００５９】
不揮発性の共通ＩＤ記憶部４５１は、本非接触型ＩＣカード２１０の複数の通信機能で共有する共有鍵または共有ＩＤを不揮発に記憶する。新ＩＤ生成部５５３は、近距離無線通信機能（ＮＦＣ機能）のために認証ＩＤ記憶部５２４の認証ＩＤと共通鍵／共通ＩＤ記憶部４５１の共通ＩＤとに基づいて、さらにセキュリティを高めた新ＩＤを生成する。また、新ＩＤ生成部５５３は、ビーコン発信機能にためにビーコンＩＤ記憶部５３３の認証ＩＤと共通鍵／共通ＩＤ記憶部４５１の共通ＩＤとに基づいて、さらにセキュリティを高めた新ＩＤを生成する。
【００６０】
（ハードウェア構成）
図５Ｃは、本実施形態に係る非接触型ＩＣカード２１０のハードウェア構成を示すブロック図である。
【００６１】
非接触型ＩＣカード２１０は、近距離無線通信機４２１とビーコン発信機４３１とが一体化されたＩＣチップと、ＩＣチップに異なる周波数の動作クロックを提供する２つの水晶発振器５６１、５６２と、電池４４１と、アンテナを含むビーコン発信部５３１と、例えば共通鍵／共通ＩＤ記憶部４５１などを含むロジックブロック５６３と、を含む。
【００６２】
《非接触型ＩＣカードの処理手順》
図６は、本実施形態に係る非接触型ＩＣカード２１０の処理手順を示すフローチャートである。このフローチャートは、非接触型ＩＣカード２１０を１つの処理装置とした場合の処理手順を示したものである。
【００６３】
非接触型ＩＣカード２１０は、ステップＳ６１１において、ＮＦＣの開始であるか否かを判定する。ＮＦＣの開始であれば、非接触型ＩＣカード２１０は、ステップＳ６１３において、ＮＦＣ処理を実行する。
【００６４】
一方、ＮＦＣの開始でなければ、非接触型ＩＣカード２１０は、ステップＳ６２１において、ビーコン発信のタイミングであるか否かを判定する。ビーコン発信のタイミングであれば、非接触型ＩＣカード２１０は、ステップＳ６２３において、ビーコン受信機２４０からの応答があったか否かを判定する。ビーコン受信機２４０からの応答がなかった場合、非接触型ＩＣカード２１０は、ステップＳ６２５において、タイムアウトか否かを判定する。タイムアウトでなければ、非接触型ＩＣカード２１０は、ステップＳ６２３において、ビーコン受信機２４０からの応答を待つ。タイムアウトであれば、非接触型ＩＣカード２１０は処理を終了する。
【００６５】
ステップＳ６２３においてビーコン受信機２４０からの応答があった場合、非接触型ＩＣカード２１０は、ステップＳ６２７において、ビーコンＩＤとして、例えばユーザＩＤや、カードＩＤや、共通ＩＤなどをビーコン受信機２４０に送信する。あるいは、ユーザＩＤやカードＩＤを、共通鍵や共通ＩＤをキーに暗号化して送信してもよい。
【００６６】
なお、図６のビーコン発信処理では、ビーコン受信機２４０からの応答を判定したが、非接触型ＩＣカード２１０からは、ビーコンＩＤを含むビーコン信号を定期的に発信するだけで、応答を判定しない処理であってもよい。
【００６７】
（ＮＦＣ通信処理）
図７は、本実施形態に係るＮＦＣ通信処理（Ｓ６１３）の手順を示すフローチャートである。なお、ＮＦＣ通信処理は、複数のサービスをする場合、複数の階層あるいは複数のブロックに分離した複数のアプリケーションが可能であるが、図７においては、共通の処理手順に抽象化して示す。各アプリケーションについては、それぞれの仕様書を参照されたい。
【００６８】
非接触型ＩＣカード２１０は、ステップＳ７０１において、ＮＦＣ通信対象に対応するアプリケーションを起動する。非接触型ＩＣカード２１０は、ステップＳ７０３において、アプリケーションの対象であるセキュリティ情報を選択する。そして、非接触型ＩＣカード２１０は、ステップＳ７０５において、選択されたセキュリティ情報をＮＦＣリーダ／ＮＦＣライタに提供する。この時に、セキュリティ情報を共通ＩＤにより暗号化すると、セキュリティをさらに高めることができる。
【００６９】
ステップＳ７０７はオプションであり、非接触型ＩＣカード２１０が、アプリケーションに対応するさらなる処理を実行してもよい。この場合にも、共通ＩＤがセキュリティを高めるために使用されてよい。
【００７０】
《クラウドサーバの機能構成》
図８Ａは、本実施形態に係るクラウドサーバ２９０の機能構成を示すブロック図である。
【００７１】
クラウドサーバ２９０は、通信制御部８０１と、ユーザ位置情報取得部８０２と、入退場情報取得部８０３と、決済情報取得部８０４と、学習データベース８０５と、解析要求受信部８０７と、解析処理部８０８と、解析結果通知部８０９と、を備える。
【００７２】
通信制御部８０１は、ネットワーク２０１を介して、他のサーバあるいは直接に端末との通信を制御する。ユーザ位置情報取得部８０２は、位置管理サーバ２６０からユーザに対応付けられた位置情報を取得する。入退場情報取得部８０３は、入退場管理サーバ２７０からユーザに対応付けられた入退場情報を取得する。決済情報取得部８０４は、決済サーバ２８０からユーザに対応付けられた決済情報を取得する。学習データベース８０５は、取得した情報を検索およびソート可能に、あるいは、分類処理などをして蓄積する。
【００７３】
解析要求受信部８０７は、各サーバあるいは直接に端末からの蓄積データの解析要求を受信する。解析処理部８０８は、学習データベース８０５から解析要求に対応した蓄積データを読出して、統計的な解析を行う。解析結果通知部８０９は、解析処理部８０８による解析結果を、解析要求元に通知する。
【００７４】
《クラウドサーバの処理手順》
図８Ｂは、本実施形態に係るクラウドサーバ２９０の処理手順を示すフローチャートである。このフローチャートは、クラウドサーバ２９０の制御を司るＣＰＵがＲＡＭなどを使用して実行し、図８Ａの機能構成部を実現する。
【００７５】
クラウドサーバ２９０は、ステップＳ８１１において、ユーザ位置の取得であるか否かを判定する。ユーザ位置の取得であれば、クラウドサーバ２９０は、ステップＳ８１３において、ユーザＩＤ（カードＩＤ、共通鍵または共通ＩＤ)に対応付けて、位置情報を学習データベース８０５に蓄積する。
【００７６】
ユーザ位置の取得でなければ、クラウドサーバ２９０は、ステップＳ８２１において、入退場情報の取得であるか否かを判定する。入退場情報の取得であれば、クラウドサーバ２９０は、ステップＳ８２３において、ユーザＩＤ（カードＩＤ、共通鍵または共通ＩＤ)に対応付けて、入退場情報を学習データベース８０５に蓄積する。
【００７７】
ユーザ位置の取得でなく、入退場情報の取得でなければ、クラウドサーバ２９０は、ステップＳ８３１において、決済情報の取得であるか否かを判定する。決済情報の取得であれば、クラウドサーバ２９０は、ステップＳ８３３において、ユーザＩＤ（カードＩＤ、共通鍵または共通ＩＤ)に対応付けて、決済情報を学習データベース８０５に蓄積する。
【００７８】
ユーザ位置の取得でなく、入退場情報の取得でなく、決済情報でなければ、クラウドサーバ２９０は、ステップＳ８４１において、解析要求であるか否かを判定する。解析要求であれば、クラウドサーバ２９０は、ステップＳ８４３において、学習データベース８０５から解析に必要な蓄積データを収集する。クラウドサーバ２９０は、ステップＳ８４５において、要求された解析処理を実行する。そして、クラウドサーバ２９０は、ステップＳ８４７において、解析結果を解析要求元に通知する。
【００７９】
《位置管理サーバの機能構成》
図９Ａは、本実施形態に係る位置管理サーバ２６０の機能構成を示すブロック図である。
【００８０】
位置管理サーバ２６０は、通信制御部９０１と、通信情報受信部９０２と、通信情報データベース９０３と、ユーザ位置（カード位置）生成部９０４と、ユーザ位置データベース９０５と、ユーザ移動経路生成部９０６と、ユーザ移動経路送信部９０７と、を備える。
【００８１】
通信制御部９０１は、ネットワーク２０１を介して、ビーコン受信機２４１〜２４ｎ、入退場制御機２３１〜２３ｍやクラウドサーバ２９０との通信を制御する。通信情報受信部９０２は、ビーコン受信機２４１〜２４ｎや入退場制御機２３１〜２３ｍから、通信機器ＩＤやカードＩＤを含む通信情報を受信する。なお、通信情報受信部９０２による受信は、ビーコン受信機２４１〜２４ｎが受信したビーコン信号そのままを受信し、ビーコン信号からビーコンＩＤを抽出する構成であっても、ビーコン受信機２４１〜２４ｎが抽出したビーコンＩＤを受信する構成であってもよい。通信情報データベース９０３は、ビーコン受信機のＩＤや入退場制御機のＩＤに対応付けてその設置位置が格納されている。
【００８２】
ユーザ位置（カード位置）生成部９０４は、ビーコン信号を受信したビーコン受信機ＩＤやビーコン信号に含まれるカードＩＤ、ユーザＩＤ、あるいは、近距離無線通信を確立した近距離無線通信機ＩＤやカードＩＤ、ユーザＩＤと、通信情報データベース９０３から取得した位置情報と、からユーザ位置あるいはカード位置を生成する。ユーザ位置データベース９０５は、ユーザ位置（カード位置）生成部９０４が生成したユーザ位置をユーザに対応付けて蓄積する。また、カード位置をカードに対応付けて蓄積する。
【００８３】
ユーザ移動経路生成部９０６は、ユーザ位置データベース９０５の蓄積データを参照して、ユーザの現在位置を把握し、ユーザの移動経路を生成する。ユーザ移動経路送信部９０７は、ユーザ移動経路生成部９０６が生成したユーザの現在位置やユーザの移動経路を、クラウドサーバ２９０や他の問い合わせ元に送信する。
【００８４】
（通信情報データベース）
図９Ｂは、本実施形態に係る通信情報データベース９０３の構成を示すブロック図である。通信情報データベース９０３は、ビーコン受信機のビーコン信号受信や近距離無線通信機の近距離無線通信に基づいて、カード位置やユーザ位置を生成するために使用される。
【００８５】
通信情報データベース９０３は、ビーコン信号受信や近距離無線通信をした通信機器ＩＤ９３１に対応付けて、機器種類９３２と機器の設置位置９３３とを格納する。
【００８６】
（ユーザ位置データベース）
図９Ｃは、本実施形態に係るユーザ位置データベース９０５の構成を示すブロック図である。ユーザ位置データベース９０５は、ユーザ位置（カード位置）生成部９０４が生成した位置の履歴を、ユーザＩＤ（カードＩＤ）に対応付けて蓄積し、ユーザ移動経路の生成に利用する。
【００８７】
ユーザ位置データベース９０５は、カードＩＤ９５１およびユーザＩＤ９５２に対応付けて、タイムスタンプ９５３とカード認証位置９５４との組の履歴を蓄積する。
【００８８】
《位置管理サーバの処理手順》
図９Ｄは、本実施形態に係る位置管理サーバ２６０の処理手順を示すフローチャートである。このフローチャートは、位置管理サーバ２６０の制御を司るＣＰＵがＲＡＭなどを使用して実行し、図９Ａの機能構成部を実現する。
【００８９】
位置管理サーバ２６０は、ステップＳ９０１において、機器情報およびカード情報をビーコン受信機あるいは近距離無線通信機から受信する。位置管理サーバ２６０は、ステップＳ９０３において、機器情報に基づいて通信情報データベース９０３から、非接触型ＩＣカード２１０を携帯するユーザ位置やカード位置を取得する。そして、位置管理サーバ２６０は、ステップＳ９０５において、ユーザ位置やカード位置をユーザ位置データベース９０５に蓄積する。
【００９０】
位置管理サーバ２６０は、ステップＳ９０７において、ユーザ位置データベース９０５を参照して、ユーザの現在位置を把握すると共に、ユーザ移動履歴を生成する。そして、位置管理サーバ２６０は、ステップＳ９０９において、ユーザ現在位置やユーザ移動履歴をクラウドサーバ２９０あるいは会場内管理サーバなどに送信する。
【００９１】
《入退場管理サーバ》
図１０Ａは、本実施形態に係る入退場管理サーバ２７０の機能構成を示すブロック図である。
【００９２】
入退場管理サーバ２７０は、通信制御部１００１と、カード情報受信部１００２と、カード情報データベース１００３と、ユーザ／カード認証部１００４と、入退場口開閉指示部１００６と、を備える。
【００９３】
通信制御部１００１は、ネットワーク２０１を介して、ビーコン受信機２４１〜２４ｎ、入退場制御機２３１〜２３ｍやクラウドサーバ２９０との通信を制御する。カード情報受信部１００２は、ビーコン受信機２４１〜２４ｎや入退場制御機２３１〜２３ｍから、通信機器ＩＤやカードＩＤ、ユーザＩＤを含むカード情報を受信する。なお、カード情報受信部１００２による受信は、ビーコン受信機２４１〜２４ｎが受信したビーコン信号そのままを受信し、ビーコン信号からビーコンＩＤを抽出する構成であっても、ビーコン受信機２４１〜２４ｎが抽出したビーコンＩＤを受信する構成であってもよい。カード情報データベース１００３は、カードＩＤ、ユーザＩＤ、ビーコン受信機のＩＤや入退場制御機のＩＤに対応付けてその認証条件が格納されている。
【００９４】
ユーザ／カード認証部１００４は、カード情報受信部１００２が受信した通信機器ＩＤやカードＩＤ、ユーザＩＤを含むカード情報に基づいて、カード情報データベース１００３を参照して、ユーザまたはカードの認証を行う。入退場口開閉指示部１００６は、ユーザ／カード認証部１００４の認証結果に基づいて、入退場口の開閉を指示する。なお、本実施形態では、入退場口の開門を指示し、指示が無ければ閉門を維持するものとする。
【００９５】
（カード情報データベース）
図１０Ｂは、本実施形態に係るカード情報データベース１００３の構成を示すブロック図である。カード情報データベース１００３は、カード情報受信部１００２が受信した通信機器ＩＤやカードＩＤ、ユーザＩＤを含むカード情報に基づいて、ユーザまたはカードの多段階の認証を行うために使用される。
【００９６】
カード情報データベース１００３は、カードに固有のビーコン信号情報やＮＦＣ通信情報を格納するカード情報テーブル１０１０と、入退場口における認証レベルを格納する認証レベルテーブル１０２０と、カードを携帯するユーザに対応する入場可能／不可能領域を格納するカードレベルテーブル１０３０と、を有する。
【００９７】
カード情報テーブル１０１０は、カードＩＤ１０１１に対応付けて、当該カードを携帯するユーザのユーザＩＤ１０１２と、カード固有のカード情報１０１３と、カードレベル１０１４と、を記憶する。ここで、カード情報１０１３は、ビーコン信号情報とＮＦＣ情報とを含む。認証レベルテーブル１０２０は、入退場口ＩＤ１０２１に対応付けて、認証レベル１０２２と、カードレベル１０２３と、を記憶する。ここで、認証レベル１０２２は、ビーコン認証とＮＦＣ認証との組合せを示し、図１０Ｂでは必要な認証を“○”で示し、必要でない認証を“×”で示している。カードレベルテーブル１０３０は、カードレベル１０３１に対応付けて、カードを携帯するユーザである対象者１０３２と、対象者１０３２が入場可能な領域１０３３と、対象者１０３２が不可能な領域１０３４を記憶する。
【００９８】
なお、認証レベルは、ビーコン認証のみが低認証レベル、ＮＦＣ認証のみが中認証レベル、ビーコン認証とＮＦＣ認証とのＡＮＤが高認証レベルとする。図１０Ｂには図示していないが、認証レベルとカードレベルとを組み合わせることで、多層・多段階のセキュリティが実現できる。さらに、ユーザ移動経路を加味することで、繊細なセキュリティ分類が実現できる。
【００９９】
《入退場管理サーバの処理手順》
図１０Ｃは、本実施形態に係る入退場管理サーバ２７０の処理手順を示すフローチャートである。このフローチャートは、入退場管理サーバ２７０の制御を司るＣＰＵがＲＡＭなどを使用して実行し、図１０Ａの機能構成部を実現する。
【０１００】
入退場管理サーバ２７０は、ステップＳ１００１において、機器情報およびカード情報、ユーザ情報をビーコン受信機あるいは近距離無線通信機から受信する。入退場管理サーバ２７０は、ステップＳ１００３において、機器情報およびカード情報、ユーザ情報に基づいてカード情報データベース１００３を参照して、カードやユーザの多段階の認証を行う。そして、入退場管理サーバ２７０は、ステップＳ１００５において、多段階の認証がされたか否かを判定する。カードやユーザが認証された場合、入退場管理サーバ２７０は、ステップＳ１００７において、対応する入退場口の開門を指示する。カードやユーザが認証されなかった場合、対応する入退場口の開門を指示せずに処理を終了する。
【０１０１】
《決済サーバの機能構成》
図１１Ａは、本実施形態に係る決済サーバ２８０の機能構成を示すブロック図である。
【０１０２】
決済サーバ２８０は、通信制御部１１０１と、ユーザ（カード）認証情報取得部１１０２と、ユーザ認証情報データベース１１０３と、ユーザ（カード）認証部１１０４と、決済処理部１１０８と、決済情報データベース１１０９と、決済内容取得部１１０７を備える。
【０１０３】
通信制御部１１０１は、ネットワーク２０１を介して、ＰＯＳ機２５１〜２５ｐ、あるいは、クラウドサーバ２９０との通信を制御する。ユーザ認証情報取得部１１０２は、ＰＯＳ機２５１〜２５ｐから、非接触型ＩＣカード２１０に保持されたユーザ認証情報あるいはカード認証情報、あるいは共通鍵または共通ＩＤによりセキュリティを高めた情報を取得する。ユーザ認証情報データベース１１０３は、登録された非接触型ＩＣカード２１０に対応付けて、ユーザ（カード）認証のための認証情報を格納する。ユーザ（カード）認証部１１０４は、非接触型ＩＣカード２１０に保持されたユーザ認証情報あるいはカード認証情報と、ユーザ認証情報データベース１１０３に登録された認証情報とに基づき、ユーザやカードを認証する。
【０１０４】
決済処理部１１０８は、決済内容取得部１１０７からの決済内容に基づいて、決済情報データベース１１０９の決済データを更新する。決済情報データベース１１０９は、登録されたユーザまたはカードに対応付けて決済データが記憶されている。決済内容取得部１１０７は、ＰＯＳ機２５１〜２５ｐから非接触型ＩＣカード２１０を携帯するユーザの決済内容を取得する。
【０１０５】
（決済情報データベース）
図１１Ｂは、本実施形態に係る決済情報データベース１１０９の構成を示すブロック図である。決済情報データベース１１０９は、各ユーザ（カード）について決済結果を蓄積する。
【０１０６】
決済情報データベース１１０９は、カードＩＤ１１９１に対応付けて、ユーザＩＤ１１９２と、決済履歴１１９３と、を記憶する。
【０１０７】
《決済サーバの処理手順》
図１１Ｃは、本実施形態に係る決済サーバ２８０の処理手順を示すフローチャートである。このフローチャートは、決済サーバ２８０の制御を司るＣＰＵがＲＡＭなどを使用して実行し、図１１Ａの機能構成部を実現する。
【０１０８】
決済サーバ２８０は、ステップＳ１１０１において、ＰＯＳ機２５１〜２５ｐからから、非接触型ＩＣカード２１０に保持されたユーザ（カード）認証情報を取得する。決済サーバ２８０は、ステップＳ１１０３において、ユーザ認証情報データベース１１０３に登録された認証情報に基づいて、認証許可であるか否かを判定する。認証許可でない場合、決済サーバ２８０は、ステップＳ１１０９において、不許可である旨をＰＯＳ機２５１〜２５ｐに通知する。
【０１０９】
一方、認証許可である場合、決済サーバ２８０は、ステップＳ１１０５において、決済情報を取得する。決済サーバ２８０は、ステップＳ１１０７において、決済情報データベース１１０９を更新することによって決済処理を行う。
【０１１０】
本実施形態によれば、１枚の非接触型ＩＣカードを携帯するだけで、位置情報の取得処理およびセキュリティ処理、さらに決済処理をも実現することができる。
【０１１１】
［第３実施形態］
次に、本発明の第３実施形態に係る非接触型ＩＣカードについて説明する。本実施形態に係る非接触型ＩＣカードは、上記第２実施形態と比べると、充電式である点で異なる。その他の構成および動作は、第２実施形態と同様であるため、同じ構成および動作については同じ符号を付してその詳しい説明を省略する。
【０１１２】
《非接触型ＩＣカードの構成》
図１２Ａは、本実施形態に係る非接触型ＩＣカード１２１０の構成を示す図である。なお、図１２Ａにおいて、図４Ａと同様の構成要素には同じ参照番号を付して、重複する説明を省略する。
【０１１３】
非接触型ＩＣカード１２１０の充電式電池１２４１は非接触充電式であって、非接触充電可能な充電力受信部１２４２を有する。
【０１１４】
図１２Ａの右方は、非接触充電時の状態を示している。カード設置部１２２０には、充電力受信部１２４２に相対する位置に充電力送信部１２２１が配置される。充電力送信部１２２１には充電変換部１２２２により変換された電力が提供される。
【０１１５】
（非接触型充電方式）
図１２Ｂは、本実施形態に係る非接触型ＩＣカードの非接触型充電方式を示す図である。
【０１１６】
本実施形態で使用可能な非接触型充電方式１２０１としては、電磁誘導方式と磁気誘導方式とがある。以下、それぞれの非接触型充電方式１２０１が放射型か非放射型か１２０２、使用周波数１２０３、伝送距離１２０４、送信電力１２０５、伝送効率１２０６などが示されている。
【０１１７】
なお、図１２Ｂに示した非接触型充電方式は、本実施形態で使用可能な一例であって、これに限定されず、例えば、放射型のものでは使用可能である。
【０１１８】
《非接触型ＩＣカードの機能構成》
図１３は、本実施形態に係る非接触型ＩＣカード１２１０の機能構成を示すブロック図である。なお、図１３において、図５Ａと同様の機能構成部には同じ参照番号を付して、重複する説明は省略する。
【０１１９】
充電式電池１２４１は非接触充電式であり、充電力受信部１２４２を備える。なお、図１３には図示されていないが、非接触型ＩＣカード１２１０に電池残量検出部を設けて、所定閾値を下回ると警告する機能を設けてもよい。あるいは、非接触型ＩＣカード１２１０の利用時に外部装置で検出してもよい。
【０１２０】
《非接触型ＩＣカードの処理手順》
図１４は、本実施形態に係る非接触型ＩＣカード１２１０の処理手順を示すフローチャートである。なお、図１４において、図６と同様のステップには同じステップ番号を付して、重複する説明を省略する。
【０１２１】
非接触型ＩＣカード１２１０は、ビーコン発信後にタイムアウトした場合、ステップＳ１４３１において、充電が必要であるか否かを判定する。充電が必要であれば、非接触型ＩＣカード１２１０は、ステップＳ１４３３において、充電処理を行う。
【０１２２】
なお、図１４においては、充電をビーコン発信時に行うように構成したが、どのタイミングで行ってもよい。
【０１２３】
本実施形態によれば、上記実施形態の効果に加えて、半永久的に利用可能な非接触型ＩＣカードを提供することができる。
【０１２４】
［第４実施形態］
次に本発明の第４実施形態に係る非接触型ＩＣカードについて説明する。本実施形態に係る非接触型ＩＣカードは、上記第２実施形態および第３実施形態と比べると、１枚の非接触型ＩＣカードがさらに別の通信機能を有する点で異なる。その他の構成および動作は、第２実施形態と同様であるため、同じ構成および動作については同じ符号を付してその詳しい説明を省略する。なお、以下の実施形態では、ＮＦＣ、ＲＦＩＤ、ビーコン、の３つの通信機能を示したが、これに限定されるものではない。また、その組合せの数も組み合わせる種類も、非接触型ＩＣカードの用途に合った適切な通信機能が選択されればよい。
【０１２５】
《ＩＣカード利用システムの概要》
図１５は、本実施形態に係る非接触型ＩＣカード１５１０を使用するＩＣカード利用システム１５００の概要を示す図である。なお、図１５において、図２Ａと同様の構成要素には同じ参照番号を付して、重複する説明を省略する。
【０１２６】
ＩＣカード利用システム１５００において、３つの異なる通信機能を１枚の非接触型ＩＣカード１５１０に搭載した場合を図示している。ここで、３つの異なる通信機能とは、上述のＮＦＣ機能とビーコン機能の他に、電磁界や電波などを用いた識別情報の近距離通信を行うＲＦＩＤ(radio frequency identifier)機能とを搭載している。
【０１２７】
ユーザ２１１は、図１５の左から右に移動したとする。ユーザが１００ｍ内に近づくと、非接触型ＩＣカード１５１０からのビーコン発信をビーコン受信機２４０が受信し、ビーコン情報サーバ１５７０によりユーザの位置を確認できる。さらに、ユーザが建物や部屋などに入る場合、非接触型ＩＣカード１５１０から発信されたＲＦＩＤ信号をＲＦＩＤ受信機１５３０が受信して、ＲＦＩＤ情報サーバ１５８０によりユーザ認証が可能である。また、さらに近付くと、非接触型ＩＣカード１５１０とのＮＦＣによって、ＮＦＣ情報サーバ１５９０によりユーザ認証が実行される。
【０１２８】
なお、図１５においては、３つの異なる通信機能を１枚の非接触型ＩＣカード１５１０に搭載したが、非接触型ＩＣカードの用途に応じて複数の通信機能が選択されてよい。
【０１２９】
《非接触型ＩＣカードの構成》
図１６Ａは、本実施形態に係る非接触型ＩＣカード１５１０の構成を示す図である。なお、図１６Ａにおいて、図４Ａおよび図５Ａと同様の構成要素には同じ参照番号を付して、重複する説明を省略する。
【０１３０】
非接触型ＩＣカード１５１０には、長辺方向の中間部分４１１を除いて、右方には電池による電力供給を必要としないＲＦＩＤ通信機１６２３が搭載されている。なお、ＲＦＩＤの処理については、GS1 EPC/RFID標準仕様（http://www.dsri.jp/standard/epc/standard.html）を参照されたい。
【０１３１】
なお、共通鍵／共通ＩＤ記憶部は各通信機能が共通に有してもよい。
【０１３２】
（通信機能）
図１６Ｂは、本実施形態に係る非接触型ＩＣカード１５１０が有する通信機能１６００を示す図である。
【０１３３】
各通信方式１６０１に対応付けて、通信距離１６０２と、電池の要／不要１６０３とが示されている。なお、非接触型ＩＣカード１５１０で使用可能な通信方式１６０１は、図１６Ｂに限定されない。
【０１３４】
《非接触型ＩＣカードの処理手順》
図１７は、本実施形態に係る非接触型ＩＣカード１５１０の処理手順を示すフローチャートである。なお、図１７において、図６と同様のステップには同じステップ番号を付して、重複する説明は省略する。
【０１３５】
非接触型ＩＣカード１５１０は、ＮＦＣでなく、ビーコン発信でない場合、ステップＳ１７４１において、ＲＦＩＤ通信であるか否かを判定する。ＲＦＩＤ通信であれば、非接触型ＩＣカード１５１０は、ステップＳ１７４３において、ＲＦＩＤ通信処理を行う。
【０１３６】
なお、図１７において、充電のタイミングは限定されず、いずれのタイミングであってもよい。
【０１３７】
本実施形態によれば、１００mの距離の位置確認から３cmの認証処理までを１枚の非接触型ＩＣカードにより実現することができる。
【０１３８】
［第５実施形態］
次に本発明の第５実施形態に係る非接触型ＩＣカードについて説明する。本実施形態に係る非接触型ＩＣカードは、上記第２実施形態乃至第４実施形態と比べると、１枚の非接触型ＩＣカードを会社ではなく学校で使用する点で異なる。その他の構成および動作は、第２実施形態から第４実施形態と同様であるため、同じ構成および動作については同じ符号を付してその詳しい説明を省略する。
【０１３９】
《ＩＣカード利用システム》
図１８Ａは、本実施形態に係る非接触型ＩＣカード２１０を使用するＩＣカード利用システム１８００の概要を示す図である。ＩＣカード利用システム１８００は、本非接触型ＩＣカード２１０を学校に適用した場合のシステムである。なお、図２Ａの「社員食堂」が「学生食堂」に変わったぐらいで、システム構成は類似であるので重複する説明は省略する。
【０１４０】
（カード情報データベース）
図１８Ｂは、本実施形態に係るカード情報データベースの構成を示すブロック図である。図１８Ｂには、「学校システム」に特有のカードレベルテーブル１８３０を示す。なお、カード情報データベースの他のテーブルの構成は類似であるので、重複する説明は省略する。
【０１４１】
カードレベルテーブル１８３０は、カードレベル１８３１に対応付けて、カードを携帯するユーザである学校における対象者１８３２と、対象者１８３２が学校内で入場可能な領域１８３３と、対象者１８３２が学校内で入場不可能な領域１８３４を記憶する。
【０１４２】
本実施形態によれば、本実施形態に係る非接触型ＩＣカード２１０は、学校システムにおいても有用に使用することができる。例えば、施錠されたロッカーの解錠に用いることができる。ビーコン通信で位置情報を取得し、ＮＦＣ認証で資格照会し、解錠資格がカードＩＤまたはユーザＩＤに付与されていれば解錠可能とする。そして、解錠結果が前後の位置情報と共に記録され、検索表示の対象となってもよい。学校における施錠場所としては、例えば、生徒個人情報の紙媒体、高額な用具、薬物、毒物などが入っている場所が想定される。
【０１４３】
［第６実施形態］
次に本発明の第６実施形態に係る非接触型ＩＣカードについて説明する。本実施形態に係る非接触型ＩＣカードは、上記第２実施形態乃至第５実施形態と比べると、１枚の非接触型ＩＣカードを会社や学校ではなく病院で使用する点で異なる。その他の構成および動作は、第２実施形態から第５実施形態と同様であるため、同じ構成および動作については同じ符号を付してその詳しい説明を省略する。
【０１４４】
《ＩＣカード利用システム》
図１９Ａは、本実施形態に係る非接触型ＩＣカード２１０を使用するＩＣカード利用システム１９００の概要を示す図である。ＩＣカード利用システム１９００は、本非接触型ＩＣカード２１０を病院に適用した場合のシステムである。なお、図２Ａの「社員食堂」が「入院用品売店」に変わったぐらいで、システム構成は類似であるので重複する説明は省略する。
【０１４５】
（カード情報データベース）
図１９Ｂは、本実施形態に係るカード情報データベースの構成を示すブロック図である。図１９Ｂには、「病院システム」に特有のカードレベルテーブル１９３０を示す。なお、カード情報データベースの他のテーブルの構成は類似であるので、重複する説明は省略する。
【０１４６】
カードレベルテーブル１９３０は、カードレベル１９３１に対応付けて、カードを携帯するユーザである病院における対象者１９３２と、対象者１９３２が病院内で入場可能な領域１９３３と、対象者１９３２が病院内で入場不可能な領域１９３４を記憶する。
【０１４７】
本実施形態によれば、本実施形態に係る非接触型ＩＣカード２１０は、病院システムにおいても有用に使用することができる。例えば、施錠されたロッカーの解錠に用いることができる。ビーコン通信で位置情報を取得し、ＮＦＣ認証で資格照会し、解錠資格がカードＩＤまたはユーザＩＤに付与されていれば解錠可能とする。そして、解錠結果が前後の位置情報と共に記録され、検索表示の対象となってもよい。病院における施錠場所としては、例えば、薬物や毒物などが入っている場所が想定される。
【０１４８】
［他の実施形態］
なお、本実施形態においては、本発明の非接触型ＩＣカードを会社、学校、病院で好適に使用されることを説明したが、その適用先は限定されない。多層・多段階のセキュリティを１枚の非接触型ＩＣカードで実現する他の分野にも適用可能であり、同様の効果を奏する。例えば、警察での銃器や銃弾などの管理、また、自衛隊での銃器や銃弾などの管理に適用できる。
【０１４９】
また、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【０１５０】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
2019139579.tif 000003
【図２Ａ】
2019139579.tif 000004
【図２Ｂ】
2019139579.tif 000005
【図３Ａ】
2019139579.tif 000006
【図３Ｂ】
2019139579.tif 000007
【図４Ａ】
2019139579.tif 000008
【図４Ｂ】
2019139579.tif 000009
【図４Ｃ】
2019139579.tif 000010
【図５Ａ】
2019139579.tif 000011
【図５Ｂ】
2019139579.tif 000012
【図５Ｃ】
2019139579.tif 000013
【図６】
2019139579.tif 000014
【図７】
2019139579.tif 000015
【図８Ａ】
2019139579.tif 000016
【図８Ｂ】
2019139579.tif 000017
【図９Ａ】
2019139579.tif 000018
【図９Ｂ】
2019139579.tif 000019
【図９Ｃ】
2019139579.tif 000020
【図９Ｄ】
2019139579.tif 000021
【図１０Ａ】
2019139579.tif 000022
【図１０Ｂ】
2019139579.tif 000023
【図１０Ｃ】
2019139579.tif 000024
【図１１Ａ】
2019139579.tif 000025
【図１１Ｂ】
2019139579.tif 000026
【図１１Ｃ】
2019139579.tif 000027
【図１２Ａ】
2019139579.tif 000028
【図１２Ｂ】
2019139579.tif 000029
【図１３】
2019139579.tif 000030
【図１４】
2019139579.tif 000031
【図１５】
2019139579.tif 000032
【図１６Ａ】
2019139579.tif 000033
【図１６Ｂ】
2019139579.tif 000034
【図１７】
2019139579.tif 000035
【図１８Ａ】
2019139579.tif 000036
【図１８Ｂ】
2019139579.tif 000037
【図１９Ａ】
2019139579.tif 000038
【図１９Ｂ】
2019139579.tif 000039
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
長方形のカード基材と、
前記カード基材の長辺方向の中間部分に隣接する第１部分に配置され、近距離無線通信を行う近距離無線通信機と、
前記第１部分に配置され、ビーコン信号を発信するビーコン発信機と、
前記カード基材の前記中間部分を挟んで前記第１部分に対向する第２部分に配置され、前記ビーコン発信機に電力を供給する電池と、
を備え、
前記ビーコン発信機および前記近距離無線通信機で共通に使用される暗号鍵を保持する非接触ＩＣカード。
【請求項２】
前記ビーコン発信機は前記暗号鍵を記憶する第１の記憶部を有し、
前記近距離無線通信機は、前記暗号鍵を記憶する第２の記憶部を有する請求項１に記載の非接触型ＩＣカード。
【請求項３】
前記暗号鍵を記憶する記憶部を、前記ビーコン発信機および前記近距離無線通信機とは別に設けた請求項１に記載の非接触型ＩＣカード。
【請求項４】
前記ビーコン発信機は、前記第１部分に配置された前記ビーコン信号を放射するアンテナを含む請求項１に記載の非接触型ＩＣカード。
【請求項５】
前記記憶部には前記ビーコン発信機および前記近距離無線通信機で共通に使用される識別子が記憶され、前記識別子は前記非接触型ＩＣカードに固有のデータであって、前記非接触型ＩＣカードの製造過程で書換不能に前記記憶部に記憶される請求項２または３に記載の非接触型ＩＣカード。
【請求項６】
前記記憶部には前記ビーコン発信機および前記近距離無線通信機で共通に使用される識別子が記憶され、前記識別子は前記非接触型ＩＣカードを発行する発行者に固有のデータであって、前記非接触型ＩＣカードの発行過程で書換不能に記憶される請求項２または３に記載の非接触型ＩＣカード。
【請求項７】
前記記憶部には前記ビーコン発信機および前記近距離無線通信機で共通に使用される識別子が記憶され、前記識別子は前記非接触型ＩＣカードを携帯するユーザに固有のデータであって、前記非接触型ＩＣカードの発行過程で書換不能に記憶される請求項２に記載の非接触型ＩＣカード。
【請求項８】
前記第１部分または前記第２部分に配置された、電磁界や電波などを用いた識別情報の近距離通信を行うＲＦＩＤ(Radio Frequency Identifier)通信機をさらに備える請求項１乃至７のいずれか１項に記載の非接触型ＩＣカード。
【請求項９】
前記電池が充電可能な電池であって、前記充電可能な電池を非接触で充電するための非接触充電手段をさらに備える請求項１乃至８のいずれか１項に記載の非接触型ＩＣカード。
【請求項１０】
前記カード基材は、厚さが2.2mm、長辺が85.6mm、短辺が54.0mm、のポロカーボン樹脂製またはＡＢＳ樹脂製である請求項１乃至９のいずれか１項に記載の非接触型ＩＣカード。
【請求項１１】
厚さが2.2mm、長辺が85.6mm、短辺が54.0mm、のポロカーボン樹脂製またはＡＢＳ樹脂製であるカード基材となる表面部および裏面部を製造するステップと、
前記カード基材の長辺方向の中間部分に隣接する第１部分に、ビーコン信号を発信するビーコン発信機と、近距離無線通信を行う近距離無線通信機と、を配置し、前記カード基材の前記中間部分を挟んで前記第１部分と対向する第２部分に、前記ビーコン発信機に電力を供給する電池を配置するステップと、
前記ビーコン発信機と、前記近距離無線通信機と、前記電池との配置を維持して、前記表面部と前記裏面部とを貼り合わせて非接触型ＩＣカードとするステップと、
前記非接触型ＩＣカードの記憶部に、前記ビーコン発信機と前記近距離無線通信機とが共通に使用する暗号鍵を記憶するステップと、
を含む非接触型ＩＣカードの製造方法。
【請求項１２】
長方形のカード基材と、前記カード基材の長辺方向の中間部分に隣接する第１部分に配置され、近距離無線通信を行う近距離無線通信機と、前記第１部分に配置され、ビーコン信号を発信するビーコン発信機と、前記カード基材の前記中間部分を挟んで前記第１部分に対向する第２部分に配置され、前記ビーコン発信機に電力を供給する電池と、を備え、前記ビーコン発信機および前記近距離無線通信機で共通に使用される暗号鍵を保持する非接触ＩＣカードであって、ビーコン信号の発信機能と近距離無線通信機能とを有する１枚の非接触型ＩＣカードと、
前記非接触型ＩＣカードから、前記暗号鍵で暗号化されて発信されたビーコン信号の受信に基づいて、前記非接触型ＩＣカードの認証、または、前記非接触型ＩＣカードを携帯するユーザの認証を行う第１認証手段と、
前記非接触型ＩＣカードとの、前記暗号鍵で暗号化された近距離無線通信によって、前記非接触型ＩＣカードの認証、または、前記非接触型ＩＣカードを携帯する前記ユーザの認証を行う第２認証手段と、
前記第１認証手段による認証と前記第２認証手段による認証との組み合わせに対応して、認証レベルの異なる階層的な入退場の許可を制御する制御手段と、
を備えるＩＣカード利用システム。
【請求項１３】
前記非接触型ＩＣカードは、前記ビーコン信号の発信機能と前記近距離無線通信機能が共通に使用する識別子を保持し、
前記第１認証手段および前記第２認証手段は、さらに前記識別子を用いて、前記非接触型ＩＣカードの認証、または、前記非接触型ＩＣカードを携帯するユーザの認証を行う請求項１２に記載のＩＣカード利用システム。
【請求項１４】
前記識別子は、前記非接触型ＩＣカードのカード識別子と前記非接触型ＩＣカードを携帯するユーザのユーザ識別子との少なくともいずれかを含む請求項１３に記載のＩＣカード利用システム。
【請求項１５】
前記制御手段は、
前記第１認証手段による認証により入退場を許可する第１許可手段と、
前記第２認証手段による認証により入退場を許可する第２許可手段と、
前記第１認証手段および前記第２認証手段による認証により入退場を許可する第３許可手段と、
を備える請求項１２乃至１４のいずれか１項に記載のＩＣカード利用システム。
【請求項１６】
前記非接触型ＩＣカードから、前記暗号鍵で暗号化されて発信されたビーコン信号の受信に基づいて、前記非接触型ＩＣカードを携帯するユーザの位置情報を取得する第１取得手段を、さらに備え、
前記制御手段は、前記第１取得手段が取得した前記ユーザの位置情報に対応して、前記第２認証手段による認証を行うよう制御する請求項１５に記載のＩＣカード利用システム。
【請求項１７】
前記非接触型ＩＣカードから、前記暗号鍵で暗号化されて発信されたビーコン信号の受信に基づいて、前記非接触型ＩＣカードを携帯するユーザの位置情報を取得する第１取得手段と、
前記非接触型ＩＣカードとの、前記暗号鍵で暗号化された近距離無線通信によって、前記非接触型ＩＣカードを携帯する前記ユーザの位置情報を取得する第２取得手段と、
前記第１取得手段が取得した前記ユーザの位置情報、および、前記第２取得手段が取得した前記ユーザの位置情報、の少なくともいずれかから前記ユーザの移動経路を生成する移動経路生成手段をさらに備え、
前記制御手段は、さらに前記ユーザの移動経路に基づいて、認証レベルの異なる入退場の許可を制御する請求項１２乃至１５のいずれか１項に記載のＩＣカード利用システム。
【請求項１８】
さらに、前記第２認証手段により認証された場合、前記非接触型ＩＣカードとの近距離無線通信によって決済を行う決済手段をさらに備える請求項１２乃至１７のいずれか１項に記載のＩＣカード利用システム。
【請求項１９】
長方形のカード基材と、前記カード基材の長辺方向の中間部分に隣接する第１部分に配置され、近距離無線通信を行う近距離無線通信機と、前記第１部分に配置され、ビーコン信号を発信するビーコン発信機と、前記カード基材の前記中間部分を挟んで前記第１部分に対向する第２部分に配置され、前記ビーコン発信機に電力を供給する電池と、を備え、前記ビーコン発信機および前記近距離無線通信機で共通に使用される暗号鍵を保持する非接触ＩＣカードであって、ビーコン信号の発信機能と近距離無線通信機能とを有する１枚の非接触型ＩＣカードを利用するＩＣカード利用方法であって、
前記非接触型ＩＣカードが有するビーコン信号の発信機能を用いて、前記非接触型ＩＣカードから、前記暗号鍵で暗号化されて発信されたビーコン信号の受信に基づき、前記非接触型ＩＣカードの認証、または、前記非接触型ＩＣカードを携帯するユーザの認証を行う第１認証ステップと、
前記非接触型ＩＣカードが有する近距離無線通信機能を用いて、前記非接触型ＩＣカードとの、前記暗号鍵で暗号化された近距離無線通信によって、前記非接触型ＩＣカードの認証、または、前記非接触型ＩＣカードを携帯するユーザの認証を行う第２認証ステップと、
前記ユーザの移動にしたがって、前記１枚の非接触型ＩＣカードによる前記第１認証ステップと前記第２認証ステップとを、シーケンシャルにまたはパラレルに実行し、前記第１認証ステップによる認証と前記第２認証ステップによる認証との組み合わせに対応して、認証レベルの異なる階層的な入退場の許可を制御する実行ステップと、
を含むＩＣカード利用方法。
【手続補正２】
【補正対象書類名】明細書
【補正対象項目名】０００６
【補正方法】変更
【補正の内容】
【０００６】
上記目的を達成するため、本発明に係る非接触型ＩＣカードは、
長方形のカード基材と、
前記カード基材の長辺方向の中間部分に隣接する第１部分に配置され、近距離無線通信を行う近距離無線通信機と、
前記第１部分に配置され、ビーコン信号を発信するビーコン発信機と、
前記カード基材の前記中間部分を挟んで前記第１部分に対向する第２部分に配置され、前記ビーコン発信機に電力を供給する電池と、
を備え、
前記ビーコン発信機および前記近距離無線通信機で共通に使用される暗号鍵を保持する。
【手続補正３】
【補正対象書類名】明細書
【補正対象項目名】０００７
【補正方法】変更
【補正の内容】
【０００７】
上記目的を達成するため、本発明に係る非接触型ＩＣカードの製造方法は、
厚さが2.2mm、長辺が85.6mm、短辺が54.0mm、のポロカーボン樹脂製またはＡＢＳ樹脂製であるカード基材となる表面部および裏面部を製造するステップと、
前記カード基材の長辺方向の中間部分に隣接する第１部分に、ビーコン信号を発信するビーコン発信機と、近距離無線通信を行う近距離無線通信機と、を配置し、前記カード基材の前記中間部分を挟んで前記第１部分と対向する第２部分に、前記ビーコン発信機に電力を供給する電池を配置するステップと、
前記ビーコン発信機と、前記近距離無線通信機と、前記電池との配置を維持して、前記表面部と前記裏面部とを貼り合わせて非接触型ＩＣカードとするステップと、
前記非接触型ＩＣカードの記憶部に、前記ビーコン発信機と前記近距離無線通信機とが共通に使用する暗号鍵を記憶するステップと、
を含む。
【手続補正４】
【補正対象書類名】明細書
【補正対象項目名】０００８
【補正方法】変更
【補正の内容】
【０００８】
上記目的を達成するため、本発明に係るＩＣカード利用システムは、
長方形のカード基材と、前記カード基材の長辺方向の中間部分に隣接する第１部分に配置され、近距離無線通信を行う近距離無線通信機と、前記第１部分に配置され、ビーコン信号を発信するビーコン発信機と、前記カード基材の前記中間部分を挟んで前記第１部分に対向する第２部分に配置され、前記ビーコン発信機に電力を供給する電池と、を備え、前記ビーコン発信機および前記近距離無線通信機で共通に使用される暗号鍵を保持する非接触ＩＣカードであって、ビーコン信号の発信機能と近距離無線通信機能とを有する１枚の非接触型ＩＣカードと、
前記非接触型ＩＣカードから、前記暗号鍵で暗号化されて発信されたビーコン信号の受信に基づいて、前記非接触型ＩＣカードの認証、または、前記非接触型ＩＣカードを携帯するユーザの認証を行う第１認証手段と、
前記非接触型ＩＣカードとの、前記暗号鍵で暗号化された近距離無線通信によって、前記非接触型ＩＣカードの認証、または、前記非接触型ＩＣカードを携帯する前記ユーザの認証を行う第２認証手段と、
前記第１認証手段による認証と前記第２認証手段による認証との組み合わせに対応して、認証レベルの異なる階層的な入退場の許可を制御する制御手段と、
を備える。
【手続補正５】
【補正対象書類名】明細書
【補正対象項目名】０００９
【補正方法】変更
【補正の内容】
【０００９】
上記目的を達成するため、本発明に係るＩＣカード利用方法は、
長方形のカード基材と、前記カード基材の長辺方向の中間部分に隣接する第１部分に配置され、近距離無線通信を行う近距離無線通信機と、前記第１部分に配置され、ビーコン信号を発信するビーコン発信機と、前記カード基材の前記中間部分を挟んで前記第１部分に対向する第２部分に配置され、前記ビーコン発信機に電力を供給する電池と、を備え、前記ビーコン発信機および前記近距離無線通信機で共通に使用される暗号鍵を保持する非接触ＩＣカードであって、ビーコン信号の発信機能と近距離無線通信機能とを有する１枚の非接触型ＩＣカードを利用するＩＣカード利用方法であって、
前記非接触型ＩＣカードが有するビーコン信号の発信機能を用いて、前記非接触型ＩＣカードから、前記暗号鍵で暗号化されて発信されたビーコン信号の受信に基づき、前記非接触型ＩＣカードの認証、または、前記非接触型ＩＣカードを携帯するユーザの認証を行う第１認証ステップと、
前記非接触型ＩＣカードが有する近距離無線通信機能を用いて、前記非接触型ＩＣカードとの、前記暗号鍵で暗号化された近距離無線通信によって、前記非接触型ＩＣカードの認証、または、前記非接触型ＩＣカードを携帯するユーザの認証を行う第２認証ステップと、
前記ユーザの移動にしたがって、前記１枚の非接触型ＩＣカードによる前記第１認証ステップと前記第２認証ステップとを、シーケンシャルにまたはパラレルに実行し、前記第１認証ステップによる認証と前記第２認証ステップによる認証との組み合わせに対応して、認証レベルの異なる階層的な入退場の許可を制御する実行ステップと、
を含む。
【手続補正６】
【補正対象書類名】明細書
【補正対象項目名】００１４
【補正方法】変更
【補正の内容】
【００１４】
図１に示すように、非接触型ＩＣカード１００は、カード基材１１０と、近距離無線通信機１２１と、ビーコン発信機１３１と、アンテナ１３２と、電池１３３と、を含む。カード基材１１０は、弾性を有して湾曲可能な長方形である。近距離無線通信機１２１と、ビーコン発信機１３１と、アンテナ１３２と、電池１３３とは、カード基材１１０の長辺方向の中間部分１１１を避けて配置される。近距離無線通信機１２１は、近距離無線通信を行う。ビーコン発信機１３１は、ビーコン信号を発信する。アンテナ１３２は、ビーコン発信機１３１からのビーコン信号を放射する。電池１３３は、少なくともビーコン発信機１３１に電力を供給する。
【手続補正７】
【補正対象書類名】明細書
【補正対象項目名】００４６
【補正方法】変更
【補正の内容】
【００４６】
非接触型ＩＣカード２１０のカード基材４１０は、厚さが2.2mm、長辺が85.6mm、短辺が54.0mm、のポロカーボン樹脂製またはＡＢＳ樹脂製であるのが望ましい。なお、共通鍵／共通ＩＤ記憶部４５１は、図４Ａにように、ビーコン発信機４３１や近距離無線通信機４２１と別に設けても、いずれかの内部に設けても、両方の内部にそれぞれ設けてもよい。また、図４Ｂの寸法は、これに限定されるものではないが、特に厚さが2.2mmで製造できたことは特筆すべき特徴である。なお、図４Ｂの寸法の非接触型ＩＣカード２１０において、中間部分４１１の幅は２mm以下が望ましく、1.5mm±0.5mmの範囲である。
【手続補正８】
【補正対象書類名】明細書
【補正対象項目名】００４８
【補正方法】変更
【補正の内容】
【００４８】
ステップＳ４０１において、カード基材となる表面と裏面との製造を行う。なお、本実施形態のカード基材は、厚さが2.2mm、長辺が85.6mm、短辺が54.0mmのポロカーボン樹脂またはＡＢＳ樹脂製である。しかしながら、かかる寸法や材質に限定されるものではない。ユーザが携帯可能な寸法や重量であって、カード破壊に耐える弾性を有するものが望ましい。
【手続補正９】
【補正対象書類名】明細書
【補正対象項目名】００４９
【補正方法】変更
【補正の内容】
【００４９】
ステップＳ４０３において、カード基材上に例えば図４Ａや図４Ｂのように、長辺方向の中間部分４１１を除いて各構成要素を配置して固定する。ステップＳ４０５において、各構成要素の配置を維持して、カード成形を行う。
【手続補正１０】
【補正対象書類名】図面
【補正対象項目名】図４Ｃ
【補正方法】変更
【補正の内容】
【図４Ｃ】
2019139579.tif 000040